(57)【要約】【課題】構造が簡単でホログラムのレインボーカラーの反射光を鏡筒一杯に観賞できる万華鏡風玩具、容器、オルゴール、ディスプレイ、インテリヤ等に適応するホログラム鏡を提供する。【解決手段】半球等分割形の表面にホログラムを固着した複数の反転体を半球形の中心軸を支点に反転自在に取付けて半球形状にしたホログラム反転装置を円筒体の端部に取付け鏡筒に摺動自在に嵌挿する。【選択図】  図５
2004348099.tif 000002
【特許請求の範囲】
【請求項１】
外筒に鏡面を内側にした円または多角形状の鏡を配備した鏡筒（以下鏡筒と云う）とホログラム板とで構成したことを特徴とするホログラム鏡。
【請求項２】
鏡筒の端部にホログラム板を固着した請求項１のホログラム鏡。
【請求項３】
端部にホログラム板を固着した筒体を鏡筒に摺動自在に嵌挿したことを特徴とする請求項１のホログラム鏡。
【請求項４】
円形のホログラム板の中央線を支点にして、両面にホログラムを固着した同形半載のホログラム板を反転自在に設けた反転ホログラム盤を筒体の端部に取付け鏡筒に摺動自在に嵌挿した請求項１のホログラム鏡。
【請求項５】
半球等分割形の表面にホログラムを固着した複数の反転体を半球形の中心軸を支点に反転自在に取付けて半球形状にしたホログラム反転装置を筒体の端部に取付け鏡筒に摺動自在に嵌挿した請求項１のホログラム鏡。
【請求項６】
数種類のホログラムを固着したホログラム盤を鏡筒の端部に回転自在に設けた請求項１、２のホログラム鏡。
【請求項７】
鏡筒の端部を変形状にした請求項１、２、３，４，５、６のホログラム鏡
【請求項８】
回転する基台に請求項１〜７のホログラム鏡を単または複数、任意の方向に設けた請求項１，２，３，４，５，６，７のホログラム鏡。
【発明の詳細な説明】
【０００１】
【発明の属する技術分野】
本発明は簡単な構成でホログラムのレインボーカラーの反射光を鏡筒一杯に観賞できる万華鏡風玩具、容器、オルゴール、ディスプレイ、インテリヤ等に適応するホログラム鏡に関する。
【０００２】
【従来の技術】
従来、この種のホログラムと鏡との組み合わせによる万華鏡があったが容器、インテリヤ、ディスプレイ等についてはなかった。
【０００３】
【特許文献１】
【特開平１１−１４２７８５】本発明は３枚の平面鏡を三角形状に組み合わせた鏡筒の端部に透過型のホログラム板を配備し透過型ホログラム板自体および鏡で反射された反射像を見るようにしており、鏡筒の一端から所定の角度より照明光を投射して、ホログラム像を観賞するようにしている。
【０００４】
【発明が解決しようとする課題】
しかし、前記発明においてはホログラム像を観賞する新規な万華鏡であるが平面鏡を３枚組み合わせる従来の方式で透過型ホログラム板に照明光を投射する構成のため複雑である。
【０００５】
本発明の目的は構成が簡単でホログラムの色彩を円または多角形筒鏡で鏡筒口から光を入れて反復反射の美しさを観賞できるホログラム鏡を提供することである。
【０００６】
このホログラム鏡は玩具、容器、宝石箱、オルゴール、ディスプレイ、インテリヤ、等の用途に適応することができる。
【０００７】
【課題を解決するための手段】
上記目的を達成するため、請求項１の発明は、外筒に鏡面を内側にした円または多角形状の鏡を配備した鏡筒とホログラム板とで構成したホログラム鏡である。
請求項２の発明は、鏡筒の端部にホログラム板を固着したホログラム鏡である。
請求項３の発明は、端部にホログラム板を固着した筒体を鏡筒に摺動自在に嵌挿したホログラム鏡である。
請求項４の発明は、円形のホログラム板の中央線を支点にして、両面にホログラムを固着した同形半載のホログラム板を反転自在に設けた反転ホログラム盤を筒体の端部に取付け鏡筒に摺動自在に嵌挿したホログラム鏡である。
請求項５の発明は、半球等分割形の表面にホログラムを固着した複数の反転体を半球形の中心軸を支点に反転自在に取付けて半球形状にしたホログラム反転装置を筒体の端部に取付け鏡筒に摺動自在に嵌挿したホログラム鏡である。
請求項６の発明は、数種類のホログラムを固着したホログラム盤を鏡筒の端部に回転自在に設けたホログラム鏡である。
請求項７の発明は、鏡筒の端部を変形状にしたホログラム鏡である。
請求項８の発明は、回転する基台に請求項１〜７のホログラム鏡を単または複数、任意の方向に設けたホログラム鏡である。
【０００８】
本発明と従来の万華鏡方式との大きな違いは鏡筒口から光を取り入れることであり、鏡筒口に接眼せず間隔をあけて鏡筒内を観賞することであるが筒体を透明にする等補助光窓を設けても差し支えない。
【０００９】
【発明の実施の形態】
本発明によるホログラムは市販のクラフト用および包装用を用いており自然光や室内の照明光で、見る角度によりレインボーカラーが美しく変化して輝いておりこれを使用することとした。
【００１０】
鏡筒口から入光した鏡筒内はホログラム像自体及および反射されたホログラムの反射光は鏡筒一杯にリング状に反射を繰り返しレインボウーカラーが混ざり合いその広がりは鏡筒口まで届き、筒体を回転、上下に摺動すればそのレインボーカラーも徐々に変化する。この美しさを活用すれば、請求項２のホログラム鏡は蓋等を設ければ、容器、オルゴール、宝石箱等に適応し、請求項３，４，５のホログラム鏡は主に万華鏡風玩具として観賞用であり、請求項６、７、８のホログラム鏡はディスプレイ、インテリヤに適応する。
【００１１】
外筒の形状は多角形状も可であるが嵌挿する筒体を多角形状にすれば回転不可であり回転によるホログラムのレインボーカラーの微妙な変化等が観賞できずホログラム鏡の真価は発揮できないが容器、オルゴール、宝石箱、等に使用の場合は形状が優先することもある。
【００１２】
鏡筒は長い程美しく２段３段と伸張するようにしてもよく、また鏡筒の開口部にホログラム板や反転ホログラム盤等の設けた筒体を蓋兼用として嵌挿してもよい。
【００１３】
請求項４の反転ホログラム盤または請求項５のホログラム反転装置の使用に際しては鏡筒を反転ホログラム盤またホログラム反転装置から分離しホログラム板を反転後鏡筒で押圧すればストツパーとして固定することができる。
【００１４】
以下、図面に示す実施例について説明する。
本発明において請求項５のホログラム反転装置はホログラム鏡として多種類のホログラムを観賞できるので第５図により説明する。１は鏡筒で外筒にフイルムミラーを挿着している。３は筒体でホログラム反転装置５を該蝶番Ａの中心軸を支点として支軸し収容している。ホログラム反転装置５は実施例では半球体を６等分割したホログラム体Ｂの全表面にホログラムを固着して蝶番Ａで結合し反転自在に構成している。その使用方法は鏡筒１を水平に保持し回転すれば半球等分割形のホログラム体Ｂが中心軸より上に位置するとき、半球等分割形のホログラム体がその自重により反転し新たなホログラムが出現するので鏡筒を垂直状にして再度水平に保持し回転すれば、また新たなホログラムが出現するのでこれを繰返しまたは反回転することにより順次分割数だけのホログラムが観賞することができる。
【００１５】
第３，４図は請求項４の筒体３に取付けた反転ホログラム盤４はホログラム板２の中央線上に半裁のホログラムを反転自在に設けており、その使用方法は鏡筒１を水平状に保持して回転してホログラム板２の中央線が水平状態になり半裁のホログラム板Ｅが中央線の上部になれば自重により反転し中央線より下部のホログラム板と重なる。これによりホログラムを両面に固着しているので今までの裏面が表面となり新たなホログラムが観賞できることとなる。
図７は請求項７の変形鏡筒６の端部に請求項６の回転ホログラム盤７を回転自在に設けたホログラム鏡で変形鏡筒を６０°の傾斜角度をつけて回転ホログラム盤を設けている、これは卓上等に設置を前提にしておりホログラムは６０°〜７０°の角度で見るのが１番栄えて美しいためである、鏡等の開口部も角度をつけているがこれは少し距離をおいても鏡筒内を容易に見ることができデイスプレー等に適用する。
図８は請求項８の回転する基台９に請求項１〜７のホログラム鏡を単または複数、任意の方向に設けたホログラム鏡で電気等の動力で基台が回転しそれに伴いホログラム鏡が回転してホログラムのレインボーカラーの美しさを振りまきディスプレイとしてウインド等に設置すればその効果は大である。
また基台に照明器具を併置してホログラム鏡に照明すればより効果的に使用できる。
【００１６】
ホログラム板はホログラムを材質に固着しているが材質は特に限定しない、鏡筒の外側の材質はアクリル樹脂、その他のプラスチック、紙、金属等であり特に限定されない。実施例の鏡筒内部は合成樹脂製のフイルムミラーを使用しているが、光沢あるアルミの薄板等でもよく特に限定されない。また外筒材質に直接ミラー加工を施してもよい。
【００１７】
【発明の効果】
本発明は鏡筒とホログラムの簡単な構成によりホログラムの反射光は鏡筒一杯にリング状に反射を繰返し筒体の回転、摺動によりレインボーカラーの微妙な変化が、玩具、容器、宝石箱、オルゴール、ディスプレイ、インテリヤ、等の用途に適応することができる。
【図面の簡単な説明】
【図１】本発明の請求項２の側面断面図
【図２】本発明の請求項３の側面断面図
【図３】本発明の請求項４の平面図
【図４】本発明の請求項４の使用状態の説明側面断面図
【図５】本発明の請求項５の使用状態の説明側面断面図
【図６】本発明の請求項５の平面図
【図７】本発明の請求項６の側面断面図
【図８】本発明の請求項８の斜視図
【符号の説明】
１  鏡筒
２  ホログラム板
３  筒体
４  反転ホログラム盤
５  反転ホログラム装置
６  変形鏡筒
７  回転ホログラム盤
８  回転ホログラムカバー
９  基台
Ａ  蝶番
Ｂ  半球等分割形のホログラム体
Ｃ  留め具
Ｅ  半載ホログラム板
【図１】
2004348099.tif 000003
【図２】
2004348099.tif 000004
【図３】
2004348099.tif 000005
【図４】
2004348099.tif 000006
【図５】
2004348099.tif 000007
【図６】
2004348099.tif 000008
【図７】
2004348099.tif 000009
【図８】
2004348099.tif 000010